【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
原稿台に載置された原稿を含む原稿領域を読み取り、原稿画像データを取得する読取手段と、
前記読取手段による読取りを複数回実行することで取得した複数の原稿画像データを合成して１つの画像データを生成する読取モードを設定する設定手段と、
前記読取手段により取得された原稿画像データに基づくプレビュー画像の表示と、前記読取り手段の読取り操作を説明するガイダンスの表示とを表示可能な表示手段と、
前記原稿画像データに基づき、前記表示手段内のプレビュー画像表示領域にプレビュー画像を表示するプレビュー手段と、
前記設定手段により前記読取りモードが設定されてから、前記プレビュー画像が前記プレビュー画像表示領域に表示されるまでの期間に、前記プレビュー画像表示領域に、前記設定手段により設定された前記読取モードに応じたガイダンスの表示を行うガイダンス表示手段と、
を有することを特徴とする画像読取装置。
【請求項２】
前記プレビュー手段は、前記複数の原稿画像データのプレビュー画像を前記プレビュー画像表示領域内にレイアウトして１枚の画像データとして表示するために前記プレビュー画像表示領域を複数に分割し、
前記ガイダンス表示手段は、分割された前記プレビュー画像表示領域それぞれに対応する、前記ガイダンスの表示を行うことを特徴とする請求項１に記載の画像読取装置。
【請求項３】
前記ガイダンス表示手段は、分割された前記プレビュー画像表示領域それぞれに読取り順位を付与し、次に読み取りを行う順位の領域に対応する、ガイダンスの表示を行うことを特徴とする請求項２に記載の画像読取装置。
【請求項４】
前記分割された複数のプレビュー画像表示領域から１つを選択する選択手段をさらに有し、
前記ガイダンス表示手段は、前記選択手段により選択した領域に対応する、ガイダンスの表示を行うことを特徴とする請求項２に記載の画像読取装置。
【請求項５】
前記ガイダンス表示手段は、更に前記分割された複数のプレビュー画像表示領域に前記読取り手段による読取りの実行を指示可能な実行ボタンを表示することを特徴とする請求項請求項１乃至４のいずれかに記載の画像読取装置。
【請求項６】
前記ガイダンスは原稿を原稿台に載置するための原稿の位置と向きに関する操作のガイダンスを含むことを特徴とする請求項１乃至請求項４のいずれかに記載の画像読取装置。
【請求項７】
前記プレビュー手段は前記読取手段により取得した原稿画像データに基づくプレビュー画像の表示を、
前記ガイダンス手段によるガイダンスの表示に代えて前記プレビュー画像表示領域に表示させること特徴とする請求項１乃至請求項４のいずれかに記載の画像読取装置。
【請求項８】
原稿台に載置された原稿を含む原稿台領域を読取り、原稿画像データを取得する読取手段と、前記読取手段により原稿を読み取って取得した原稿画像データに基づく、プレビュー画像の表示と、前記読取り手段の読取り操作を説明するガイダンスの表示が可能な表示手段を備える画像読取装置の制御方法であって、
前記読取手段による読取りを複数回実行することで取得した複数の原稿画像データを合成して１つの画像データを生成する読取モードを設定する設定ステップと、
前記原稿画像データに基づき、前記表示手段内のプレビュー画像表示領域にプレビュー画像を表示するプレビュー画像表示ステップと、
前記設定手段により前記読取りモードが設定されてから、前記プレビュー画像が前記表示手段のプレビュー画像の表示領域内に表示されるまでの期間に、前記プレビュー画像表示領域に、前記設定ステップにおいて設定された前記読取モードに応じたガイダンスの表示を行うガイダンス表示ステップと、
からなることを特徴とする画像読取装置の制御方法。
【請求項９】
前記プレビュー画像表示ステップは、前記複数の原稿画像データのプレビュー画像を前記プレビュー表示領域内レイアウトして１枚の画像データとして表示するために前記プレビュー表示領域を複数に分割し、
前記ガイダンス表示ステップは、分割された前記プレビュー表示の領域それぞれに対応する、前記ガイダンスの表示を行うことを特徴とする請求項８に記載の画像読取装置の制御方法。
【請求項１０】
原稿台に載置された原稿を含む原稿領域を読取り、原稿画像データを取得する読取り手段を有する読取装置と、前記読取装置と双方向インターフェースを介して接続した表示手段を有する情報処理装置とで構成される画像読取システムの制御方法において、
前記読取装置による読取りを複数回実行することで取得した複数の原稿画像データを合成して１つの画像データを生成する読取モードを設定する設定ステップと、
前記設定ステップで設定された読取モードに従って前記読取り装置で取得した前記原稿画像データに基づき、前記情報処理装置の表示手段のプレビュー画像表示領域にプレビュー画像を表示するプレビュー画像表示ステップと、
前記設定ステップで前記読取りモードが設定されてから、前記プレビュー画像が前記プレビュー画像表示領域に表示されるまでの期間に、前記プレビュー画像表示領域に、前記設定ステップにより設定された前記読取モードに応じたガイダンスの表示を行うガイダンス表示ステップと、
からなることを特徴とする画像読取システムの制御方法。
【請求項１１】
請求項１０に記載の画像読取りシステムの制御方法をコンピュータに実行させるためのプログラムが記録された記録媒体。
【手続補正２】
【補正対象書類名】明細書
【補正対象項目名】０００６
【補正方法】変更
【補正の内容】
【０００６】
上記課題を解決するために、本発明に係わる画像読取装置は、原稿台に載置された原稿を含む原稿領域を読み取り、原稿画像データを取得する読取手段と、前記読取手段による読取りを複数回実行することで取得した複数の原稿画像データを合成して１つの画像データを生成する読取モードを設定する設定手段と、前記読取手段により取得された原稿画像データに基づくプレビュー画像の表示と、前記読取り手段の読取り操作を説明するガイダンスの表示とを表示可能な表示手段と、前記原稿画像データに基づき、前記表示手段内のプレビュー画像表示領域にプレビュー画像を表示するプレビュー手段と、前記設定手段により前記読取りモードが設定されてから、前記プレビュー画像が前記プレビュー画像表示領域に表示されるまでの期間に、前記プレビュー画像表示領域に、前記設定手段により設定された前記読取モードに応じたガイダンスの表示を行うガイダンス表示手段と、を有することを特徴とする。
【手続補正３】
【補正対象書類名】明細書
【補正対象項目名】０００７
【補正方法】変更
【補正の内容】
【０００７】
また、本発明に係わる画像読取装置の制御方法は、原稿台に載置された原稿を含む原稿台領域を読取り、原稿画像データを取得する読取手段と、前記読取手段により原稿を読み取って取得した原稿画像データに基づく、プレビュー画像の表示と、前記読取り手段の読取り操作を説明するガイダンスの表示が可能な表示手段を備える画像読取装置の制御方法であって、前記読取手段による読取りを複数回実行することで取得した複数の原稿画像データを合成して１つの画像データを生成する読取モードを設定する設定ステップと、前記原稿画像データに基づき、前記表示手段内のプレビュー画像表示領域にプレビュー画像を表示するプレビュー画像表示ステップと、前記設定手段により前記読取りモードが設定されてから、前記プレビュー画像が前記表示手段のプレビュー画像の表示領域内に表示されるまでの期間に、前記プレビュー画像表示領域に、前記設定ステップにおいて設定された前記読取モードに応じたガイダンスの表示を行うガイダンス表示ステップと、からなることを特徴とする。
【手続補正４】
【補正対象書類名】明細書
【補正対象項目名】０００８
【補正方法】変更
【補正の内容】
【０００８】
また、本発明に係わる画像読取システムの制御方法は、原稿台に載置された原稿を含む原稿領域を読取り、原稿画像データを取得する読取り手段を有する読取装置と、前記読取装置と双方向インターフェースを介して接続した表示手段を有する情報処理装置とで構成される画像読取システムの制御方法において、前記読取装置による読取りを複数回実行することで取得した複数の原稿画像データを合成して１つの画像データを生成する読取モードを設定する設定ステップと、前記設定ステップで設定された読取モードに従って前記読取り装置で取得した前記原稿画像データに基づき、前記情報処理装置の表示手段のプレビュー画像表示領域にプレビュー画像を表示するプレビュー画像表示ステップと、前記設定ステップで前記読取りモードが設定されてから、前記プレビュー画像が前記プレビュー画像表示領域に表示されるまでの期間に、前記プレビュー画像表示領域に、前記設定ステップにより設定された前記読取モードに応じたガイダンスの表示を行うガイダンス表示ステップと、
からなることを特徴とする。
【手続補正５】
【補正対象書類名】明細書
【補正対象項目名】０００９
【補正方法】変更
【補正の内容】
【０００９】
また、本発明に係わる画像読取システムの制御方法は、前記制御方法をコンピュータに実行させるためのプログラムが記録された記録媒体であることを特徴とする。